(57)【特許請求の範囲】
【請求項１】
経糸と緯糸を組み合わせてシート状に織成した被覆シートであって、
該被覆シートに、近接する複数本の経糸と近接する複数本の緯糸とが交錯することなく浮いた粗織り部を複数形成した
被覆シート。
【請求項２】
前記粗織り部を、交錯せずに浮いた部分を表面を若干粗面化可能に短く設定して小さく形成し、当該被覆シート全体にわたって形成した
請求項１記載の
被覆シート。
【請求項３】
前記粗織り部を、交錯せずに浮いた部分を植物の植付けまたは播種可能に長く設定して大きく形成し、
上記粗織り部を植物を植える所定の間隔に対応させて形成した
請求項１記載の
被覆シート。
【請求項４】
前記粗織り部を、交錯せずに浮いた部分が短い小粗織り部と、交錯せずに浮いた部分が長い大粗織り部とで構成するとともに、
上記小粗織り部は当該被覆シート全体にわたって形成し、
上記大粗織り部は植物を植える所定の間隔に対応させて形成した
請求項１記載の
被覆シート。
【発明の詳細な説明】
【０００１】
【発明の属する技術分野】
この考案は、農林業や土木業で土の表面に被覆して使用され例えば植物の生育環境を調節したりする被覆シートに関し、より詳しくは、防草等の様々な機能を持ち用途が広い上、特に通気性通水性に優れた被覆シートに関する。
【０００２】
【従来の技術】
上述のような被覆シートには一枚のビニルで構成されたもののほか、フラットヤーンで織成したものなどがある。織成の仕方には一般に平織、あや織、朱子織等があるが、上述の被覆シートでは、経糸と緯糸が緊密に交錯する平織で形成さている。縦横の引っ張りに対して強いからである。しかし、この平織により形成した被覆シートでは、経糸と緯糸とが一本ごとに緊密に交錯しているので、例えば降雨の多い時期の使用等、通水性や通気性が充分でない場合があった。
【０００３】
また農業用の被覆シートの一例としてマルチシートがあるが、このマルチシートは一般に一枚のビニルシートで構成されており、使用時に穴をあけて使用される。しかし、穴をあける作業が手間であるので、例えば実開昭５５−９９６５９号に開示されたようなものが案出されていた。これは長尺の２枚のシートを所定間隔をあけて並べ線状のつなぎ材で簾状につなげたもので、つなぎ材の隙間から植物を植えるようにしている。
【０００４】
しかし植物を植えるのに適した間隔は作業時に作業員が得なければならない上、つなぎ材が幅全体にあるので作業中に足をとられて危険であったり、植物を痛めたり、敷設したシートを剥がしたりして作業性が悪く、さらにはつなぎ材は地面上にただ乗っているだけであるので遮光等の効果が薄く所期の目的を達しにくい等の難点があった。
【０００５】
【解決すべき課題及びそのための手段】
そこでこの発明は、経糸と緯糸とが交錯しない部分を形成することで、通気性通水性の向上を図ることが出来るようにしたり、植物の植付けや播種の作業が容易にしたりするような被覆シートの提供を主たる課題とする。
【０００６】
そのための手段は、経糸と緯糸を組み合わせてシート状に織成した被覆シートであって、該被覆シートに、近接する複数本の経糸と近接する複数本の緯糸とが交錯することなく浮いた粗織り部を複数形成した被覆シートであることを特徴とする。   なお、前記粗織り部を、交錯せずに浮いた部分を表面を若干粗面化可能に短く設定して小さく形成し、当該被覆シート全体にわたって形成すると、主に通気性通水性の向上に適している。
【０００７】
また、前記粗織り部を、交錯せずに浮いた部分を植物の植付けまたは播種可能に長く設定して大きく形成し、上記粗織り部を植物を植える所定の間隔に対応させて形成すると、特に植物の植付けや播種の作業を容易にできる。
【０００８】
さらに、前記粗織り部を、交錯せずに浮いた部分が短い小粗織り部と、交錯せずに浮いた部分が長い大粗織り部とで構成するとともに、上記小粗織り部は当該被覆シート全体にわたって形成し、上記大粗織り部は植物を植える所定の間隔に対応させて形成するもよい。
【０００９】
【作用及び効果】
すなわち、上述の構成によれば、近接する複数本の経糸と近接する複数本の緯糸とが交錯することなく浮いた粗織り部を形成したので、通気性通水性を、経糸と緯糸を一本ずつ緊密に交錯した場合に比して向上することができる。また、粗織り部とそうでない部分とで外観上の違いがあるので、模様のようになり意匠感の向上も図ることができる。
【００１０】
請求項２のように上記粗織り部を、交錯せずに浮いた部分を表面を若干粗面化可能に、換言すれば空気や水との接触抵抗を高めて通気性通水性を向上可能に短く設定して小さく形成し、被覆シート全体にわたって形成した場合には、主として上述のような通気性通水性の向上に適している。
【００１１】
また、請求項３のように上記粗織り部を、交錯せずに浮いた部分を植物の植付けまたは播種可能に長く設定して大きく形成し、植物を植える所定の間隔に対応させて形成した場合には、通気性通水性が向上する上、植物の植付けや播種の作業を容易にできる。
【００１２】
しかも、交錯しない経糸や緯糸は、植物を植付けたり播種したりするのに必要な大きさであるので、線状体がむやみやたらに露出しているのではなく、作業中に作業員が足をとられたりすることはない。このため、敷設した被覆シートを剥がしてしまったり、植物を痛めたりすることはなく、作業は容易である。その上、粗織り部以外は完全なシート状を成しているので、遮光等の効果も充分にあり、所期の目的機能を発揮できる。
【００１３】
また、請求項４のように粗織り部を、交錯せずに浮いた部分が短い小粗織り部と、交錯せずに浮いた部分が長い大粗織り部とで構成するとともに、小粗織り部を被覆シート全体にわたって形成し、大粗織り部を植物を植える所定の間隔に対応させて形成すると、上述の効果をすべて満たす被覆シートを得ることができる。
【００１４】
【実施例】
この発明の一実施例を以下図面に基づいて詳述する。
図１は、農林業や土木業で地面に敷設して使用する被覆シート１（以下、シートという）の外観を示す表面図である。
【００１５】
このシート１は、例えば鉢植え植物の下に敷設して鉢への降水時の泥はね防止等に使用したり、畦や林床、果樹園の耕地に敷設して防草や泥濘防止に使用したり、果樹園の耕地に敷設して耕地が豪雨により押し流されるのを防止したり、軟弱地盤を安定化するために土木用として使用したり、法面の緑化目的として使用したりすることができるもので、特に通気性通水性に優れたものである。
【００１６】
すなわちこのシート１は、例えばポリプロピレンやポリエチレン等からなるフラットヤーンを平織して所定幅の長尺状に形成しており、全体にわたって多数の小粗織り部２…を形成している。なおフラットヤーンの色は、例えば防草を目的とするときには暗色等、使用目的に応じて選定している。
【００１７】
上記小粗織り部２…は、図２にも示したように近接する複数本の経糸３…と、近接する複数本の緯糸４…が交錯することなく浮いた部分であり、その交錯することなく浮いた部分がシート１の表面を若干粗面化可能に短く設定された小さい粗織り部である。交錯することなく浮かすと浮かした長さに応じて経糸３…や緯糸４…は面から突出する。
【００１８】
シート１の表面を若干粗面化可能に短くとは、換言すれば空気や水との接触抵抗を高めて通気性通水性を向上可能にする長さで、経糸３や緯糸４の幅にもよるが、経糸３にとって緯糸４を、緯糸４にとって経糸３を若干本飛ばす程度である。例えば糸幅が１mm〜３mm程の場合で、３本から７本程度でよい。
【００１９】
図２は小粗織り部２の一例の構造を説明する表面図であり、この小粗織り部２は、一本の経糸３ａと、この経糸３ａに対して経糸３ｃ一本を隔てて近接するもう一本の経糸３ｂとを、表面側において５本の緯糸４ａ，４ｂ，４ｃ，４ｄ，４ｅを連続して飛ばしている。そしてこれら２本の縦糸３ａ，３ｂのすぐ隣の２本の経糸３ｃ，３ｄも、裏面側において５本の緯糸４ａ，４ｂ，４ｃ，４ｄ，４ｅを連続して飛ばしている。また上記４本の経糸３ａ，３ｂ，３ｃ，３ｄにより飛ばされた５本の緯糸４ａ〜４ｅは、４本の経糸３ａ〜３ｄを表裏に２本ずつ配するようにして、経糸３ａ〜３ｄと交錯しないようにしている。図２において経糸３ａ〜３ｄは、斜線を施して表した。
【００２０】
なお、このように一本とびの経糸３ａ〜３ｄを２本ずつ浮かせるのではなく、例えばすぐ隣に隣接し合う２本の経糸３ａと３ｃ、３ｂと３ｄを浮かせるもよい。
【００２１】
小粗織り部２…の存在により、平織ゆえに平滑なシート１の面が粗面化するので、空気や水との接触抵抗は高まり通気性通水性が向上するとともに、凹凸により外観にも違いが表れる。このため、小粗織り部２…の大きさや形、数、配置等を適宜設定することで、意匠感の向上も図れる。また、平織で形成しているので、縦横の引っ張りに対しても強い。
【００２２】
図３は他の例に係るシート１の外観を示す表面図であり、このシート１は、特にマルチシートとして使用するのに適したものである。すなわち、植物を植付けたり播種したりすることが可能な部分、大粗織り部５…を所定間隔毎に多数形成している。
【００２３】
この大粗織り部５…は、図４にも示したように、近接する複数本の経糸３ｅ…と、近接する複数本の緯糸４ｆ…とが交錯することなく浮いた部分で、特に交錯せずに浮いた部分が植物の植付けや播種が可能な程度に長く設定して大きく形成したものである。長くとは、経糸３や緯糸４の幅にもよるが、経糸３にとっては緯糸４を、緯糸４にとっては経糸３を多数本飛ばすことである。具体的には、例えば糸幅が１mm〜３mm程度の場合で、１０から３０本程度でよい。余り大きくなって例えば７cm、８cmを越えると、表面から浮く部分が大きくなって作業中に足を引掛けたりしやすくなるからである。
【００２４】
図４は大粗織り部５の一例の構造を説明する平面図であり、この大粗織り部５は、隣接し合う偶数本の経糸３ｅ…を、緯糸４ｆ…多数本分すべて表側に出し、これに対応する緯糸４ｆ…をすべて裏側に出して構成している。
【００２５】
この大粗織り部５は縦横に糸が張ってある構造であるので、縦横の引っ張りに対して強く、そのうえ穴が開いているのと略同じ状態であるので、通気性通水性が高いとともに、種や苗、球根をシートの敷設後でも植えることができる。また、苗や球根の植付けに当って必要ならば、経糸３ｅ…と緯糸４ｆ…をシート１の表裏で分けているので、経糸３ｅ…を横切るように挟みを入れることで経糸３ｅ…部分を切断することができ、また緯糸４ｆ…を横切るように挟みを入れることで緯糸４ｆ…を切断することができ、形のある穴を容易に開けることができる。
【００２６】
図５は他の例に係るシート１の外観を示す表面図であり、このシート１も、特にマルチシートとして使用するのに適したものである。すなわち、植物を植付けたり播種したりすることが可能な部分、大粗織り部５…を所定間隔毎に多数形成している。そしてその上、上述の第１実施例のシート１の様に通気性通水性を向上すべく、小粗織り部２…をシート１の全体にわたって多数形成している。大粗織り部５…と小粗織り部２…の構造については上述の説明と同様であるので省略する。
【００２７】
なお、上記シート１は、適宜入力した織成データに基づいて織成するので、小粗織り部２や大粗織り部５の大きさや位置配置、間隔、個数等を自由に設定でき、様々なシート１を得ることができる。
【００２８】
図６、図７は上記シート１の使用状態の一例を示している。
図６は、図１に示したシート１の使用状態の一例であり、鉢植え植物を温室内等で育てる場合に、図示したようにシート１を地面６の上に敷設してから鉢７…を並べると、降り注ぐ水が地面６に当って跳ね上がって鉢７…の周面に付着して汚れるのを防ぐことができる。降り注がれた水は、シート１に当って跳ね返るも、土に触れていないからである。そしてシート１に当った水は、シート１の全体、その中でも特に小粗織り部２を通して地面６に染み込む。また、シート１に遮光性をもたせれば、防草効果も得られる。
【００２９】
また、このシート１は、温室内の通路や田圃の畦等の歩くところに敷設するもよい。この場合には、シート１の持つ通水性によりシート１上の水は下に染み込むので、通路の泥濘（ぬかるみ）防止として使用できる。また畦に敷設した場合には、シート１の遮光性により防草効果によるメリットが大きい。
【００３０】
同様に、林床に敷設することで防草効果を得たり、傾斜地に作られる果樹園の耕地に敷設するこで、豪雨によっても耕地が押し流されないようにすることができる。
【００３１】
また、小粗織り部２を多数形成して、そこから植物が伸びるようにすることで、高速道路などの法面などを適宜緑化することもできる。
【００３２】
さらに、マルチシートとして使用することもできる。ただし播種をしたり植物を植付ける位置に別途穴をあける必要がある。
【００３３】
図７は、図３、図５に示したシート１の使用状態の一例を示す斜視図であり、大粗織り部５…から植物が生長して行くようにしている。すなわち、植物を栽培する地面６にシート１を敷設した後、そのシート１の大粗織り部５…に、種を蒔いたり、苗や球根を植付ける。播種や植付けに当っては、大粗織り部５が経糸３と緯糸４とを縦横に張ったように構成されているので、それらを分けて行なえばよい。また必要があれば、前述したように経糸３と緯糸４を切断し、形のある穴にするもよい。また、作業時に適宜切込みを入れて穴を形成するもよい。
【００３４】
大粗織り部５は、所定の間隔毎に形成しているので、作業時には考えることなくその大粗織り部５に順に植付けたりすればよく、作業は簡単で正確に行なえる。また、大粗織り部５以外の部分は平織のシートと同様であるので、その上を歩いても足を引掛けたりすることはなく、この点でも作業は円滑に行なえる。さらに、大粗織り部５の存在によって通気性通水性の向上も図れるので、土を痛めることなく植物の生育が可能で、そのうえ防草効果も期待できる。
【００３５】
また、経糸３や緯糸４を構成するフラットヤーン、または織成したシート１に抗菌加工を施すことで、耐久性に優れるシート１を得ることができるとともに、植物を細菌等の被害から守ることがてきる。
【００３６】
なお、上記一実施例における小粗織り部２と大粗織り部５は、この発明の請求項１における粗織り部に対応する。
【図面の簡単な説明】
【図１】被覆シートの外観を示す表面図。
【図２】小粗織り部の構造を示す説明図。
【図３】被覆シートの外観を示す表面図。
【図４】大粗織り部の構造を示す説明図。
【図５】被覆シートの外観を示す表面図。
【図６】使用状態の一例を示す斜視図。
【図７】使用状態の一例を示す斜視図。
【符号の説明】
１…被覆シート
２…小粗織り部
３，３ａ，３ｂ，３ｃ，３ｄ、３ｅ…経糸
４，４ａ，４ｂ，４ｃ，４ｄ，４ｅ、４ｆ…緯糸
５…大粗織り部
【図１】
0004015273.tif 000002
【図２】
0004015273.tif 000003
【図３】
0004015273.tif 000004
【図４】
0004015273.tif 000005
【図５】
0004015273.tif 000006
【図６】
0004015273.tif 000007
【図７】
0004015273.tif 000008